(57)【特許請求の範囲】
【請求項１】
光ファイバ（７）同士を精密に位置決め調心するための光ファイバ接続機構であって、
光ファイバを挟み込む一対のクランプ部材（２、３）からなる素子（１Ａ）と、該素子を収納するＣ形バネであるクランプ手段（４）と、前記クランプ部材間にて光ファイバを突き合わせ接続可能に位置決め調心する調心機構（８）とを備え、
前記一対のクランプ部材の内、ベース側のクランプ部材に対向する蓋側のクランプ部材が、中央蓋（１７）と、その両側の端部蓋（１８）とで３分割されており、
前記クランプ手段は、分割スリット（１０）によって、前記中央蓋および端部蓋に対応する合計３っつの部分に分割され、該クランプ手段のクランプ力に抗してクランプ部材間を楔（１１）で押し広げることにより、クランプ部材間への光ファイバの挿抜が可能であり、
ベース側のクランプ部材の対向面（５）の長手方向両端部には、素子の外側から挿入される光ファイバを、ベース側のクランプ部材の前記対向面の長手方向中央部の前記調心機構の近傍に導く光ファイバガイド溝（９）が形成され、
クランプ部材間に挟み込んだ光ファイバの被覆（７ｂ）に食い込んで光ファイバに引き抜き抵抗を与える爪（１ａ）を、前記光ファイバガイド溝、及び、前記端部蓋の前記光ファイバガイド溝に対向する部分に形成された光ファイバガイド溝（２０）の一方または両方に突設したことを特徴とする光ファイバ接続機構（１）。
【請求項２】
光ファイバ（２６）が内装固定され先端研磨が施されてなるフェルール（２４）と、該フェルールの研磨された先端面（２７）に対向する後端側に配置されて前記光ファイバのフェルール後端から突出した部分と別の光ファイバ（３７）とを位置決め調心して突き合わせ接続し、クランプすることで接続状態を維持する光ファイバ接続機構（２５）とを具備してなり、
光ファイバ接続機構は、Ｃ形バネあるいはコ字状バネであるクランプ手段（３３）と、このクランプ手段の内側に配置され、前記クランプ手段から付与されるクランプ力によって光ファイバを挟み込む一対のクランプ部材（２９、３０、３１）と、該クランプ部材間にて光ファイバを突き合わせ接続可能に位置決め調心する調心機構（３２）とを備え、
前記一対のクランプ部材は、フェルールの後方に突出されたクランプ部材と、このクランプ部材との間に光ファイバを挟み込む二つのクランプ部材とを具備し、直列に配列された二つのクランプ部材の内、フェルールに近い前側のクランプ部材（３０）はフェルールの後方に突出されたクランプ部材との間に調心機構によって光ファイバを位置決め調心して挟み込み、後側のクランプ部材（３１）は、フェルールの後方に突出されたクランプ部材に形成された光ファイバ案内溝（３６）に挿入された光ファイバの被覆（３８）をクランプするようになっており、
前記クランプ手段は、長手方向中央部に形成された分割溝（４０）によって分割されたそれぞれの部分が、二つのクランプ部材のそれぞれに対応する独立したバネとして機能するようになっており、
前記一対のクランプ部材の間は、楔状の開放部材（４２）によって押し開かれるようになっており、
直列に配列された二つのクランプ部材の内の光ファイバ案内溝に挿入された光ファイバの被覆（３８）をクランプするクランプ部材、及び、前記光ファイバ案内溝の一方または両方に、クランプ部材間に挟み込んだ光ファイバの被覆（３８）に食い込んで光ファイバに引き抜き抵抗を与える爪（３９）を突設したことを特徴とする光コネクタ。
【発明の詳細な説明】
【０００１】
【発明の属する技術分野】
本発明は、光ファイバ同士を突き合わせ接続するための光ファイバ接続機構およびそれを用いた光コネクタに関するものである。
【０００２】
【従来の技術】
光ファイバ接続器や光コネクタ等にあってては、突き合わせ接続した光ファイバをクランプ保持して接続状態を維持する機構を組み込んだものが実用化されている。
この種の光ファイバ接続器は、位置決め調心機構により精密に位置決め調心して突き合わせた光ファイバの対を、一対のクランプ部材の間に挟み込んで接続状態を維持する構造になっている。この光ファイバ接続器の位置決め調心機構としては、（１）マイクロキャピラリー内にその両端から光ファイバを挿入して突き合わせる構造、（２）位置決め溝において光ファイバ同士を突き合わせる構造、（３）３本の精密ロッドあるいは３個の精密ボールの中心に光ファイバを担持して位置決めする構造などがある。
【０００３】
一方、光コネクタとしては、例えば、ＳＣ形光コネクタ（例えばJIS  C  5973等に制定される光コネクタプラグ）をベースに、この光コネクタのフェルールの後部（先端面と対向する位置）に、光ファイバ同士の接続機構を組み込んだ構造が提案されている。この光コネクタは、接続機構においてフェルールに内装固定した光ファイバと該光ファイバに突き当てた別の光ファイバとをクランプして突き合わせ接続状態を維持することで、短時間で組み立てできるようにしたものである。
接続機構は、いわゆるメカニカルスプライスと同様の構成であり、二つ割り状の素子部と円筒バネ体とを備え、フェルール後方から差し込まれた光ファイバとフェルール側の光ファイバとを素子部内で突き合わせ接続し、円筒バネ体から付与するクランプ力により接続した両光ファイバをクランプ保持して接続状態を維持する構成になっている。
【０００４】
【発明が解決しようとする課題】
しかしながら、前述した光ファイバ接続器や光コネクタでは、元来サイズが小さく、クランプ固定時に光ファイバとの接触面積を十分に確保出来ないことから、光ファイバに作用する引張力に対する十分な引き抜き抵抗を得ることができないといった不満があった。このため、別部材を設置して引張力を負担させるなどの対策が必要になり、これが部品点数の増加やコストの上昇といった悪影響の一因になっていた。
【０００５】
本発明は、前述の課題に鑑みてなされたもので、クランプ保持した光ファイバに十分な引き抜き抵抗を与えることができ、これにより部品点数の減少や低コスト化が容易になる光ファイバ接続機構およびそれを用いた光コネクタを提供することを目的とするものである。
【０００６】
【課題を解決するための手段】
本発明は、前記課題を解決するため、以下の構成を採用した。すなわち、請求項１記載の発明では、光ファイバ（７）同士を精密に位置決め調心するための光ファイバ接続機構であって、
光ファイバを挟み込む一対のクランプ部材（２、３）からなる素子（１Ａ）と、該素子を収納するＣ形バネであるクランプ手段（４）と、前記クランプ部材間にて光ファイバを突き合わせ接続可能に位置決め調心する調心機構（８）とを備え、
前記一対のクランプ部材の内、ベース側のクランプ部材に対向する蓋側のクランプ部材が、中央蓋（１７）と、その両側の端部蓋（１８）とで３分割されており、
前記クランプ手段は、分割スリット（１０）によって、前記中央蓋および端部蓋に対応する合計３っつの部分に分割され、該クランプ手段のクランプ力に抗してクランプ部材間を楔（１１）で押し広げることにより、クランプ部材間への光ファイバの挿抜が可能であり、
ベース側のクランプ部材の対向面（５）の長手方向両端部には、素子の外側から挿入される光ファイバを、ベース側のクランプ部材の前記対向面の長手方向中央部の前記調心機構の近傍に導く光ファイバガイド溝（９）が形成され、
クランプ部材間に挟み込んだ光ファイバの被覆（７ｂ）に食い込んで光ファイバに引き抜き抵抗を与える爪（１ａ）を、前記光ファイバガイド溝、及び、前記端部蓋の前記光ファイバガイド溝に対向する部分に形成された光ファイバガイド溝（２０）の一方または両方に突設したことを特徴とする光ファイバ接続機構（１）を前記課題の解決手段とした。
【０００７】
本発明によれば、クランプ部材間に光ファイバをクランプした際に、クランプ部材に突設した爪が光ファイバの被覆に食い込んで光ファイバに引き抜き抵抗を与える。光ファイバの突き合わせ接続では、光ファイバの先端の被覆を除去して露出させた裸ファイバ同士を接続することが多いが、この場合には、突き合わせ接続時に調心機構から離間した位置に被覆が位置するので、爪も調心機構から離間した位置に突設することが好ましく、これにより、調心位置決めを完了した光ファイバをクランプ部材間にクランプすると同時に爪が確実に被覆に食い込んで光ファイバを引き留める。
なお、本発明は、クランプ部材間に挟み込んだ光ファイバを接着材等により固定する構造の光ファイバ接続器に適用することも可能である。これにより、固定した光ファイバの引き抜き抵抗が大幅に向上する。
【０００９】
本発明によれば、光ファイバをクランプ保持したクランプ部材間をクランプ手段のクランプ力に抗して押し広げることにより、爪が光ファイバの被覆から引き抜かれ、クランプ部材間からの光ファイバの引き抜きが可能になる。
【００１０】
請求項２記載の発明では、光ファイバ（２６）が内装固定され先端研磨が施されてなるフェルール（２４）と、該フェルールの研磨された先端面（２７）に対向する後端側に配置されて前記光ファイバのフェルール後端から突出した部分と別の光ファイバ（３７）とを位置決め調心して突き合わせ接続し、クランプすることで接続状態を維持する光ファイバ接続機構（２５）とを具備してなり、
光ファイバ接続機構は、Ｃ形バネあるいはコ字状バネであるクランプ手段（３３）と、このクランプ手段の内側に配置され、前記クランプ手段から付与されるクランプ力によって光ファイバを挟み込む一対のクランプ部材（２９、３０、３１）と、該クランプ部材間にて光ファイバを突き合わせ接続可能に位置決め調心する調心機構（３２）とを備え、
前記一対のクランプ部材は、フェルールの後方に突出されたクランプ部材と、このクランプ部材との間に光ファイバを挟み込む二つのクランプ部材とを具備し、直列に配列された二つのクランプ部材の内、フェルールに近い前側のクランプ部材（３０）はフェルールの後方に突出されたクランプ部材との間に調心機構によって光ファイバを位置決め調心して挟み込み、後側のクランプ部材（３１）は、フェルールの後方に突出されたクランプ部材に形成された光ファイバ案内溝（３６）に挿入された光ファイバの被覆（３８）をクランプするようになっており、
前記クランプ手段は、長手方向中央部に形成された分割溝（４０）によって分割されたそれぞれの部分が、二つのクランプ部材のそれぞれに対応する独立したバネとして機能するようになっており、
前記一対のクランプ部材の間は、楔状の開放部材（４２）によって押し開かれるようになっており、
直列に配列された二つのクランプ部材の内の光ファイバ案内溝に挿入された光ファイバの被覆（３８）をクランプするクランプ部材、及び、前記光ファイバ案内溝の一方または両方に、クランプ部材間に挟み込んだ光ファイバの被覆（３８）に食い込んで光ファイバに引き抜き抵抗を与える爪（３９）を突設したことを特徴とする光コネクタを前記課題の解決手段とした。
【００１１】
本発明によれば、フェルール側の光ファイバと接続した別の光ファイバを光ファイバ接続機構内でクランプすると、該光ファイバの被覆に爪が食い込んで、十分な引き抜き抵抗が得られる。
【００１２】
【発明の実施の形態】
以下本発明の第１実施形態を、図１から図４を参照して説明する。
図中符号１は光ファイバ接続器であり、本発明の光ファイバ接続機構に相当する。この光ファイバ接続器１は、図１および図２に示すように、一体化時に概略断面円形のロッド状となる二つ割り構造を構成するクランプ部材２、３からなる素子１Ａと、該素子１Ａの全体をほぼ収納可能な細長コ字状のクランプ手段（Ｃ形バネ）４とを備えている。
【００１３】
クランプ部材２、３は、図２に示すように、ともに断面半円形のロッド状の部材であって、互いの対向面５、６を境にして分離されるようになっている。本実施形態のベース側のクランプ部材２と蓋体側のクランプ部材３とは、共にプラスチック等の適度な硬度を有する材料によって形成されている。
【００１４】
図２および図３に示すように、ベース側のクランプ部材２の対向面５の長手方向中央部には、光ファイバ７（光ファイバ単心線）を突き合わせ接続可能に位置決め調心する調心機構８（Ｖ溝）が形成され、対向面５の長手方向両端部には該クランプ部材２の外側から挿入される光ファイバ７を調心機構８の近傍に導く光ファイバガイド溝９（断面半円形の溝）が形成されている。これら調心機構８と光ファイバガイド溝９とは、クランプ部材２の長手方向に沿った同一直線上に配置されている。
【００１５】
調心機構８には光ファイバ７の先端の被覆を除去して露出させた裸ファイバ７ａが収納され、光ファイバガイド溝９には光ファイバ７の被覆７ｂが収納される。光ファイバガイド溝９内は複数の爪１ａが突設されて鋸歯状になっている。図３に示すように、この爪１ａは蓋体側のクランプ部材３に光ファイバガイド溝９に対向して形成された光ファイバガイド溝２０（断面半円形の溝）内にも形成されており、両クランプ部材２、３間に光ファイバ７を挟み込んだ際に、該光ファイバ７の被覆７ｂを両爪１ａ間に挟み込むようになっている。各爪１ａは、光ファイバ７の被覆７ｂに食い込んで、光ファイバ７に引き抜き抵抗を与える。
この爪１ａの形状は、図示したものに限定されず、例えば、Ｍ形等であってもよい。
【００１６】
調心機構８はＶ溝であるが、Ｖ溝以外の調心溝や、マイクロキャピラリや、精密ロッドあるいは精密ボール等の適用も可能である。
【００１７】
図２に示すように、両クランプ部材２、３は、互いの対向面５、６に形成された係合凹部１４と係合凸部１５とを係合させることで、調心機構８の調心軸線と平行な軸線を以て相対回転自在になっている。図２において、各爪１ａは光ファイバガイド溝９、２０の内面に沿ったリング状になっているので、両光ファイバガイド溝９、２０内に光ファイバ７をクランプ保持した際に光ファイバ７の特定部分への応力集中を防止するとともに、クランプ部材２、３の相対回転の途中においても応力集中を防止することができる。
【００１８】
蓋体側のクランプ部材３は、図２および図３に示すように、ベース側のクランプ部材２の調心機構８に対応して配置される中央蓋１７と、ベース側のクランプ部材２の長手方向両端部の光ファイバガイド溝９のそれぞれに対応して配置される一対の端部蓋１８の三つの部分からなり、これら中央蓋１７と端部蓋１７、１７とを直列に配列した構成になっている。中央蓋１７と端部蓋１８との間は、連結端部１９同士を係合させるようにして連結されるようになっている。
【００１９】
中央蓋１７の対向面６は平坦面であり、調心機構８に配置した裸ファイバ７ａをベース側クランプ部材２との間に挟み込む。一方、端部蓋１８の対向面６には、内部に爪１ａを有する光ファイバガイド溝２０を形成する必要がある。蓋体側のクランプ部材３を中央蓋１７と端部蓋１８とに分割したことは、中央蓋１７の平坦な対向面６や端部蓋１８の光ファイバガイド溝２０の形成を容易にする。
【００２０】
素子１Ａの長手方向両端部には、図１および図３に示すように、光ファイバガイド溝９に光ファイバ７を挿入するための漏斗状の挿入凹部２１が形成されている。また、素子１Ａのクランプ手段４の外側に露出する露出部２２には、工具を係合することで素子１Ａの回転を規制する工具係合面２２ａが形成されている。素子１Ａの側面には、ベース側のクランプ部材２と蓋体側のクランプ部材３との間を開放するための楔１１が挿入される楔挿入溝１２が開口されている。楔挿入溝１２はクランプ手段４の開口部４ａと一致されている。
【００２１】
クランプ手段４は、素子１Ａよりやや短い断面Ｃ形の細長スリーブ状であって、楔挿入溝１２に対応する長手方向数カ所には開口部４ａを拡張した楔挿入窓１３が形成されている。
図１中符号１０は分割スリットであり、中央蓋１７および端部蓋１８に対応する合計３っつの部分にクランプ手段４を分割している。したがって、素子１Ａに作用するクランプ手段４のクランプ力は、中央蓋１７や端部蓋１８にそれぞれ独立に作用するようになっている。
【００２２】
本実施形態の光ファイバ接続器１によれば、楔１１を楔挿入溝１２に差し込んで素子１Ａを開放した状態を保持すると、素子１Ａへの光ファイバ７の挿抜が可能になる。この状態で、素子１Ａ両側から差し込んだ光ファイバ７を調心機構８で突き合わせ接続し、突き合わせ力を付与させつつ楔１１を引き抜くと、クランプ手段４のクランプ力でクランプ部材２、３間に、光ファイバ７を突き合わせ状態を維持したまま挟み込む。この際、両光ファイバガイド溝９、２０の爪１ａが光ファイバガイド溝９、２０に収納した光ファイバ７の被覆７ｂに食い込み、光ファイバ７に引き抜き抵抗を与える。これにより、光ファイバ７が光ファイバ接続器１に強固に固定され、しかも、光ファイバ７に引張力が作用しても裸ファイバ７ａの突き合わせ状態に影響を与える心配が無い。
【００２３】
光ファイバ７をクランプ保持した光ファイバ接続器１を楔１１によって開放すると、クランプ部材２、３間が離間すると同時に爪１ａが被覆７ｂから引き抜かれ、光ファイバ７の引き抜きが可能になる。
また、楔挿入溝１２を選択して楔１１を挿入することで、光ファイバ接続器１素子１Ａの長手方向一端部のみを開放するようにすると、素子１Ａの長手方向他端部での光ファイバ７のクランプ状態を維持したまま、一方の光ファイバ７のみ交換が可能になる（接続切替）。すなわち、蓋側のクランプ部材３が、中央蓋１７と端部蓋１８とで３分割されていることから、素子１Ａの長手方向一端部を開放しても、長手方向他端部では素子１Ａ内に残された光ファイバ７を爪１ａ間で強固に固定して位置ずれを生じさせない。これにより、素子１Ａに残した光ファイバ７と新規に素子１Ａ内に挿入した光ファイバ７とを接続した場合、目的の接続損失を確実に得ることができる。
【００２４】
なお、本実施形態に記載した素子１Ａの構造やクランプ手段４の断面形状等は適宜変更可能であることは言うまでも無い。
また、爪１ａは、いずれか一方のクランプ部材２、３のみに形成することも可能である。
【００２５】
以下、本発明の第２実施形態を図４および図５を参照して説明する。
本実施形態は光コネクタ（ＳＣ形光コネクタプラグ）への適用例であり、図４において、２４はフェルール、２５は接続機構である。
フェルール２４は、ジルコニア等から円柱状に形成され、中心軸線上に光ファイバ２６（単心光ファイバ）を内装固定している。フェルール２４の先端面２７には研磨が施されている。フェルール２４の長手方向中央部にはフェルールホールド２８が固着されている。フェルールホールド２８は、金属等の十分な剛性を有する材料からなり、フェルール２４の後方に突出する断面半円形ロッド状のクランプ部材２９（鍔部）を備えている。
【００２６】
光ファイバ接続機構２５はフェルール２４の後端側（図４右上）に配置され、クランプ部材２９と、突き合わせ接続する光ファイバの対をクランプ部材２９との間に挟み込む二つのクランプ部材３０、３１と、クランプ部材２９とクランプ部材３０、３１との間にて接続する両光ファイバを突き合わせ可能に位置決め調心する調心機構３２（クランプ部材３０に形成されたＵ溝）と、クランプ部材２９、３０、３１間に光ファイバをクランプするためのクランプ力を付与するクランプ手段３３（Ｃ形バネ）と、該クランプ手段３３の付勢力に抗してクランプ部材２９とクランプ部材３０、３１との間を押し開く楔等の開放部材４２が差し込まれる差込口３４とを備えて構成され、フェルール２４に内装固定した光ファイバ２６のフェルール２４後端から突出した部分と別の光ファイバ３７（図５参照）とを突き合わせ接続した後、クランプ部材２９、３０、３１間でクランプ固定する。
【００２７】
図４に示すように、二つのクランプ部材３０、３１は直列に配列され、前側に配置されるクランプ部材３０は調心機構３２によって鍔部上面３５との間に光ファイバの接続端部同士を位置決め調心して挟み込み、後ろ側に配置されるクランプ部材３１はクランプ部材２９の後端から前端にわたって延在する光ファイバ案内溝３６に挿入された光ファイバ３７の被覆３８をクランプ部材２９との間にクランプする。
なお、調心機構３２としては、Ｕ溝以外の例えばＶ溝等の調心溝や、マイクロキャピラリや、３本の精密ロッドや精密ボールで光ファイバを坦持する構造等の、各種構成の適用が可能である。
【００２８】
図５に示すように、光ファイバ案内溝３６の後端部には複数の爪３９が突設され、鋸歯状になっている。爪３９はクランプ部材３１にも形成されており、光ファイバ３７のクランプ時には光ファイバ３７の両側の爪３９が被覆３８に食い込んで、光ファイバ３７の引き抜きを防止する。
【００２９】
クランプ手段３３は、バネ材を断面Ｃ形に成形してなるスリーブであって、長手方向中央部に形成された分割溝４０によって分割されたそれぞれの部分が、クランプ部材３０、３１のいずれかに対応する独立したバネとして機能する。クランプ手段３３の開口部４１は差込口３４と一致され、クランプ手段３３の外側から差込口３４への開放部材４２の差し込みが可能になっている。
なお、クランプ手段３３は、差込口３４と連通可能な開口部４１が得られるものであればＣ形バネに限定されず、例えばコ字状バネ等の適用も可能である。
【００３０】
本実施形態の光コネクタによれば、差込口３４に開放部材４２を差し込んで光ファイバ接続機構２５を開放した状態（クランプ部材２９とクランプ部材３０、３１との間を開放した状態）にて、クランプ部材２９後方から光ファイバ案内溝３６に挿入した光ファイバ３７をフェルール２４側の光ファイバ２６と突き合わせた後、開放部材４２を引き抜くことで光ファイバ２６、３７をクランプ固定し、接続状態を維持する。この際、光ファイバ３７の被覆３８の両側に爪３９が食い込んで、光ファイバ３７に十分な引き抜き抵抗を与える。これにより、光コネクタでは、光ファイバ３７に作用する引き抜き力を支持するための部品を省略あるいは簡略化することが可能になり、小型化、低コスト化が容易になる。
【００３１】
なお、この実施形態では、光ファイバ接続機構２５の調心軸線をフェルール２４の中心軸線と一致させた構造を示したが、本発明はこれに限定されず、接続機構の調心軸線がフェルール２４の中心軸線と一致していない構造も含む。
また、爪３９は、クランプ部材２９とクランプ部材３０のいずれか一方のみに設置することも可能である。
【００３２】
【発明の効果】
以上説明したように、請求項１記載の光ファイバ接続機構によれば、クランプ部材間に光ファイバをクランプした際に、両クランプ部材に突設した爪が光ファイバの被覆に食い込んで光ファイバに引き抜き抵抗を与えるようにしたので、光ファイバに引っ張り等の外力が作用しても光ファイバの接続状態を安定かつ確実に維持することができるといった優れた効果を奏する。
【００３３】
請求項２記載の光ファイバ接続機構によれば、クランプ部材の対を内側に挟み込むクランプ手段のクランプ力に抗してクランプ部材間を押し広げることにより、クランプ部材間への光ファイバの挿抜が可能になるようにしたので、接続した一方の光ファイバのみを引き抜いて交換する接続切替を行った際に、クランプ部材間に残した光ファイバに位置ずれ生じさせること無く再度の突き合わせ接続を行うことができ、新規に接続した両光ファイバ間に目的の接続損失が確実に得られるといった優れた効果を奏する。
【００３４】
請求項３記載の光コネクタによれば、フェルール側の光ファイバと接続した光ファイバを光ファイバ接続機構のクランプ部材間でクランプすると、クランプ部材に突設した爪が光ファイバの被覆に食い込んで、十分な引き抜き抵抗が得られるので、光ファイバに作用する引き抜き力を負担する部品を省略したり簡略化することが可能になり、小型化や低コスト化が容易になるといった優れた効果を奏する。
【図面の簡単な説明】
【図１】  本発明の第１実施形態の光ファイバ接続機構を示す全体斜視図である。
【図２】  図１の光ファイバ接続機構を示す分解斜視図である。
【図３】  図１の光ファイバ接続機構を示す正断面図である。
【図４】  本発明の第２実施形態の光コネクタを示す図であり、該光コネクタに適用されるフェルールおよび光ファイバ接続機構を示す分解斜視図である。
【図５】  図４の光ファイバ接続機構を示す正断面図である。
【符号の説明】
１…光ファイバ接続機構（光ファイバ接続器）、１ａ…爪、２…クランプ部材、３…クランプ部材、４…クランプ手段（Ｃ形バネ）、７…光ファイバ（光ファイバ単心線）、７ｂ…被覆、８…調心機構（Ｖ溝）、２４…フェルール、２５…光ファイバ接続機構、２６…光ファイバ、２７…先端面、２９…クランプ部材（鍔部）、３０…クランプ部材、３１…クランプ部材、３２…調心機構（Ｕ溝）、３７…光ファイバ、３８…被覆、３９…爪。
【図１】
0003675991.tif 000002
【図２】
0003675991.tif 000003
【図３】
0003675991.tif 000004
【図４】
0003675991.tif 000005
【図５】
0003675991.tif 000006